(57)【要約】      （修正有）【課題】天面、底面および周面を有し、天面から底面にかけて貫通するスリットを形成した発泡樹脂製の払拭具について、スリットに洗浄対象物を挟み込んで洗浄する際の洗浄能力を向上させ、スリット形成にともなう保形性の低下を抑制できる払拭具を提供する。【解決手段】払拭具１０において、スリット１４の対向面に不織布を積層して両面洗浄層１３を形成する。スリットに洗浄対象物を挟み込むと、発泡樹脂よりも硬質で洗浄能力に優れた不織布が洗浄対象物の両面に接触するため、洗浄能力と保形性が向上する。【選択図】図１
0003195396.tif 000002
【実用新案登録請求の範囲】
【請求項１】
天面、底面および周面を有し、天面から底面にかけて貫通するスリットが形成された発泡樹脂製の払拭具本体と、
前記払拭具本体のスリットの対向面に不織布シートを積層することにより形成される両面洗浄層と、を備える払拭具。
【請求項２】
前記スリットの両端部のうち一端部は前記払拭具本体の周面に至っている請求項１に記載の払拭具。
【請求項３】
前記スリットの幅は、前記払拭具本体の周面に至っている一端部に向けてＶ字状に拡がっている請求項２に記載の払拭具。
【請求項４】
前記払拭具本体の天面および底面のいずれか一方または双方に不織布シートを積層して形成され、前記払拭具本体のスリットが連通する片面洗浄層をさらに備える請求項１から３のいずれかに記載の払拭具。
【考案の詳細な説明】
【技術分野】
【０００１】
本考案は払拭具に関する。
より詳細には、本考案は洗浄対象物を挟み洗いするのに好適な払拭具に関する。
【背景技術】
【０００２】
天面、底面および周面を有する発泡樹脂製の払拭具について、特許文献１のように、その天面から底面にかけてを貫通するスリットを形成したものが知られている。
【０００３】
この払拭具を用いて洗浄作業をおこなう際には、天面や底面を洗浄対象物に擦りつけるほか、スリットに菜箸などの洗浄対象物を挟み込んでしごくように擦ることで、洗浄対象物の両面を効率的に洗浄することが可能である。
【０００４】
しかし、払拭具のスリットに洗浄対象物を挟み込んだ場合に、洗浄対象物に擦りつけられるのは柔らかい発泡樹脂であるため、汚れが多い際には洗浄能力が不十分となる。
【０００５】
特に特許文献１の払拭具においては、その天面または底面に、一般に発泡樹脂よりも硬質で洗浄能力に優れた不織布シートを積層しており、洗浄対象物をその不織布シートが積層された面に擦りつける場合においての、洗浄能力の向上が図られている。
それにもかかわらず、洗浄対象物をスリットに挿入して挟み洗いする際には、天面または底面に積層された不織布は、まったくあるいはほとんど洗浄対象物に接触しないことから、洗浄能力の向上にはつながっていない。
【０００６】
また、スリットを形成することによって払拭具の保形性が大きく低下し、洗浄対象物に擦りつけると払拭具の形態が崩れて洗浄作業をおこないにくい。
【先行技術文献】
【特許文献】
【０００７】
【特許文献１】実開平５−１３３４７号公報
【考案の概要】
【考案が解決しようとする課題】
【０００８】
そこで本考案の解決すべき課題は、天面、底面および周面を有し、その天面から底面にかけてを貫通するスリットを形成した発泡樹脂製の払拭具について、スリットに洗浄対象物を挟み込んで洗浄する際の洗浄能力を向上させることである。
【０００９】
また本考案の解決すべき課題は、同様の払拭具について、スリット形成にともなう払拭具の保形性の低下を抑制することである。
【課題を解決するための手段】
【００１０】
上記課題を解決するために、本考案にかかる払拭具につき、スリットの対向面に不織布を積層して両面洗浄層を形成する構成を採用したのである。
【００１１】
より詳しくは、本考案の払拭具を、天面、底面および周面を有し、天面から底面にかけて貫通するスリットが形成された発泡樹脂製の払拭具本体と、前記払拭具本体のスリットの対向面に不織布シートを積層することにより形成される両面洗浄層と、を備えるものとしたのである。
【００１２】
前記スリットの両端部のうち一端部は、前記払拭具本体の周面に至っているのが好ましい。この場合に、前記スリットの幅は、前記払拭具本体の周面に至っている一端部に向けてＶ字状に拡がっているのがより好ましい。
【００１３】
また、前記払拭具本体の天面および底面のいずれか一方または双方に不織布シートを積層して形成され、前記払拭具本体のスリットに連通するスリットが形成された片面洗浄層をさらに備えることができる。
【考案の効果】
【００１４】
本考案に係る払拭具では、スリットの対向面に不織布を積層して両面洗浄層を形成しているため、このスリットに洗浄対象物を挟み込むと、一般に発泡樹脂よりも硬質で洗浄能力に優れた不織布が洗浄対象物の両面に接触する。
このため、発泡樹脂が洗浄対象物に接触する場合と比較して洗浄能力が向上している。
【００１５】
また、スリットの対向面に一般に発泡樹脂よりも硬質な不織布を積層しているため、スリットの対向面に何も積層しない場合と比較して、払拭具の保形性が向上している。
【図面の簡単な説明】
【００１６】
【図１】払拭具の斜視図
【図２】(ａ)は払拭具の平面図、(ｂ)は(ａ)における矢印断面図
【図３】払拭具の使用状態を示す図
【考案を実施するための形態】
【００１７】
以下、図面を参照しつつ本考案の実施形態について説明する。
図１および図２に示す実施形態の払拭具１０は、払拭具本体１１と、片面洗浄層１２と、両面洗浄層１３と、を備えるものである。
実施形態の払拭具１０は、食器などの洗浄対象物を洗浄するのに用いられ、特に図３のように、洗浄対象物(図ではコップＣ)を挟み洗いするのに好適に用いられる。
【００１８】
図１および図２のように、払拭具本体１１は、天面１１ａ、天面と対向する底面１１ｂ、天面１１ａおよび底面１１ｂの周縁同士を接続する周面１１ｃを有するほぼブロック状の形状をしており、全体が発泡樹脂により形成されている。
払拭具本体１１を形成する発泡樹脂の材質、発泡度、寸法等は特に限定されないが、材質としてはポリウレタンが、寸法としては手で握って取り扱うのに好適なものとして縦寸法１２〜１４ｃｍ、横寸法６〜８ｃｍ、厚み２〜４ｃｍがそれぞれ例示できる。
【００１９】
払拭具本体１１には、その天面１１ａから底面１１ｂにかけてを貫通するスリット１４が形成されている。このスリット１４の長手方向は、払拭具本体１１の長手方向に一致している。
また、スリット１４はその一端部が払拭具本体１１の周面１１ｃに達しており、他端部が払拭具本体１１の周面１１ｃにまでは至らず、払拭具本体１１の内部に位置している。
このスリット１４の幅は、払拭具本体１１の内部に位置する端部から周面に至る端部に向けて漸増し、スリット１４の形状は平面視でＶ字型をなしている。
スリット１４が設けられたことにより、払拭具本体１１は、平面視でＵ字状の形状をなしている。
スリット１４の寸法は特に限定されないが、洗浄対象物を挟みやすいものとして、長さが８〜１２ｃｍ、最大幅が１〜２ｃｍのものが例示できる。
【００２０】
図１および図２のように、片面洗浄層１２は、払拭具本体１１の天面１１ａおよび底面１１ｂの全面に不織布シートを積層することで形成されている。
片面洗浄層１２には、払拭具本体１１のスリット１４がそのまま連通している。すなわち、払拭具本体１１のスリット１４が、そのままの位置、長さ、形状で片面洗浄層１２へと連通している。
片面洗浄層１２の存在により、実施形態の払拭具１０の保形性が向上している。
【００２１】
図１および図２のように、両面洗浄層１３は、スリット１４の対向面の全面に、二つ折りした不織布シートを積層することで形成されている。
両面洗浄層１３の存在により、実施形態の払拭具１０の保形性が向上している。
ここで片面洗浄層１２および両面洗浄層１３を形成する不織布シートは、払拭具本体１１を形成する発泡樹脂よりも硬質のものが選択される。
また、不織布シートの材質、密度、製法、厚み等は特に限定されないが、材質としてはナイロン、ポリエステル、ポリプロピレンが、製法としてはニードルパンチ法やスパンボンド法が、厚みとしては５〜１０ｍｍが、それぞれ例示できる。
また不織布シートには、洗浄能力を一層向上させるために、研磨剤が含浸されていてもよい。
さらに片面洗浄層１２および両面洗浄層１３の積層は、貼り付け等の適宜手段により行われる。
【００２２】
実施形態の払拭具の構成は以上のようであり、次に図３を参照してその使い方について説明する。
まずスリット１４が設けられていない一般的な払拭具と同様に、実施形態の払拭具１０の片面洗浄層１２を食器などの洗浄対象物に擦りつけることで洗浄作業をおこなうことができる。
【００２３】
また図３のように、洗浄対象物たるコップＣの周面をスリット１４に挟み込み、両面洗浄層１３を擦りつけることで、コップＣの周面の内外両面を同時に効率よく洗浄することができる。
このとき、両面洗浄層１３は硬質で洗浄能力の高い不織布シートからなるため、コップＣの洗浄能力が向上している。
スリット１４がＶ字状に拡がっているため、コップＣの周面を挟み込むことが容易となっている。
【００２４】
本考案の範囲は実用新案登録請求の範囲の記載に基づいて定められ、実用新案登録請求の範囲に示された内容を限度として、実施形態についてのあらゆる変更が可能であり、その変更可能な態様も当然に本考案に包含されるものとする。
【００２５】
たとえば実施形態では、スリット１４の一端が払拭具本体１１の周面１１ｃに達しているが、スリット１４の両端部が共に、払拭具本体１１の周面１１ｃにまで至らず、内部に位置していてもよい。
この場合でも、洗浄対象物が、菜箸、スプーン、フォーク、ナイフなどの細長い形状をしている場合には、スリット１４に挟むことができ、両面を同時に洗浄することが可能である。
実施形態では、スリット１４をＶ字状に形成しているが、スリット１４の形状はこれに限定されず、Ｉ字状(幅が均一のもの)、波状などでもよい。
【００２６】
また、両面洗浄層１３を形成する不織布シートは、実施形態のように二つ折りしてスリットの対向面の両面に積層するほか、対向面の各片面に、分離した不織布シートをそれぞれ積層することもできる。
両面洗浄層１３を形成する不織布シートとして、弾性の大きなものを選択した場合には、二つ折りしてスリットの対向面に積層すると、二つ折りされた状態から元のフラットな状態に復元しようとする不織布シートの復元弾性により、スリット１４が押し拡げられる。このため、洗浄対象物を挟みやすくなる効果が得られる。
加えて、二つ折りの不織布シートの復元弾性により隣接する払拭具本体１１の発泡樹脂が圧縮されることでその弾発力が増し、洗浄対象物をスリット１４に挟み込んだ際のグリップ力も向上する効果が得られる。
【００２７】
さらに実施形態では、片面洗浄層１２は、払拭具本体１１の天面１１ａおよび底面１１ｂに積層しているが、天面１１ａのみか底面１１ｂのみに積層するようにしてもよい。
このようにすれば、洗浄対象物の汚れが少ない場合には、軟質で傷を付けにくい発泡樹脂からなる払拭具本体に擦り付け、汚れが多い場合には、硬質で洗浄能力の高い不織布シートからなる片面洗浄層１２に擦り付け、用途に応じて使い分けることができる。
また片面洗浄層１２を省略することもできる。
【００２８】
また、払拭具本体１１の形状も実施形態のほぼブロック状に限定されず、多角柱状、円柱状、楕円柱状など、これらについて面取りが施されたもの、これらについて角隅が丸みを帯びたもの、が例示できる。
【符号の説明】
【００２９】
１０  実施形態の払拭具
１１  払拭具本体
１１ａ  天面
１１ｂ  底面
１１ｃ  周面
１２  片面洗浄層
１３  両面洗浄層
１４  スリット
Ｃ  コップ(洗浄対象物)
【図１】
0003195396.tif 000003
【図２】
0003195396.tif 000004
【図３】
0003195396.tif 000005